(57)【要約】【課題】  簡単かつ安価な構成によって、電気的な接続部分の安定した接触圧を保障することができる記録ヘッドおよび記録装置を提供すること。【解決手段】  記録ヘッド４に支持されるフレキシブル配線部材４ｂに、記録装置側の接点７ｄと電気的に接続可能な接点４ｃを形成し、記録ヘッド４に、接点４ｃと接点７ｄとが圧接したときに、接点４ｃの変位を許容する凹部４ａを形成する。【選択図】  図１
2007022039.tif 000002
【特許請求の範囲】
【請求項１】
記録装置の所定位置に着脱自在に装着され、前記記録装置の接続部に圧接することによって該接続部と電気的に接続可能な接点部を有する記録ヘッドにおいて、
前記接点部が形成されるフレキシブル配線部材と、
前記フレキシブル配線部材の裏面側を支持する支持面と、
前記支持面に形成されて、前記接点部が前記記録装置の接続部に圧接したときに前記接点部の変位を許容する凹部と、
を備えることを特徴とする記録ヘッド。
【請求項２】
前記凹部は、前記接点部の裏面側の周囲に位置するように前記支持面に設けられたリブの内側に形成されることを特徴とする請求項１に記載の記録ヘッド。
【請求項３】
前記凹部は、前記接点部の裏面側の周囲に点在するように前記支持面に設けられた複数のピンの内側に形成されることを特徴とする請求項１に記載の記録ヘッド。
【請求項４】
インクの吐出口と、
前記吐出口からインクを吐出させるためのエネルギーを発生するエネルギー発生手段と、
を備え、
前記接点部は、前記エネルギー発生手段の制御信号を前記記録装置の接続部から入力する
ことを特徴とする請求項１から３のいずれかに記載の記録ヘッド。
【請求項５】
所定位置に着脱自在に装着される記録ヘッドを用いて画像の記録が可能であり、かつ前記記録ヘッドの接続部に圧接することによって該接続部と電気的に接続可能な接点部を有する記録装置において、
前記接点部が形成されるフレキシブル配線部材と、
前記フレキシブル配線部材の裏面側を支持する支持面と、
前記支持面に形成されて、前記接点部が前記記録ヘッドの接続部に圧接したときに前記接点部の変位を許容する凹部と、
を備えることを特徴とする記録装置。
【請求項６】
前記凹部は、前記接点部の裏面側の周囲に位置するように前記支持面に設けられたリブの内側に形成されることを特徴とする請求項５に記載の記録装置。
【請求項７】
前記凹部は、前記接点部の裏面側の周囲に点在するように前記支持面に設けられた複数のピンの内側に形成されることを特徴とする請求項５に記載の記録装置。
【請求項８】
前記記録ヘッドを着脱自在に装着されるキャリッジと、
前記キャリッジを主走査方向に移動させるための移動手段と、
記録媒体を前記主走査方向と交差する副走査方向に搬送させるための搬送手段と、
を備えることを特徴とする請求項５から７のいずれかに記載の記録装置。
【請求項９】
前記記録ヘッドは、インクの吐出口と、前記吐出口からインクを吐出させるためのエネルギーを発生するエネルギー発生手段と、を備え、
前記接点部は、前記エネルギー発生手段の制御信号を前記記録ヘッドの接続部に出力する
ことを特徴とする請求項５から８のいずれかに記載の記録装置。
【発明の詳細な説明】
【技術分野】
【０００１】
本発明は、記録装置に対して着脱可能かつ電気的に接続可能な記録ヘッド、および着脱自在に装着した記録ヘッドに対して電気的に接続可能な記録装置に関するものである。
【背景技術】
【０００２】
今日、種々の情報を記録するための記録装置が種々開発されており、一般的には、画像信号に応じて記録ヘッドを駆動して、記録媒体に対して所定の記録を行うように構成されている。画像信号を伝達するケーブルとして、近年では組立の容易性を考慮して、フレキシブルプリント板に信号線を印刷形成したフレキシブルケーブルを使用することが多い。
【０００３】
また、記録ヘッドに関しては、ユーザーのメンテナンスフリーの要求の高まりから、例えばインクジェット記録装置においては、インクを使い終わった場合に、インクタンクだけではなく記録ヘッドごと交換して、記録ヘッドの寿命を考慮する必要がないように構成されてきている。
【０００４】
インクジェット記録装置としては、例えば図９に示すように、インクタンクと一体型の記録ヘッド（インクタンク一体型記録ヘッド）５１をキャリッジ５２に搭載し、リードスクリュー５３の回転によって、キャリッジ５２をガイド軸５４に沿って矢印Ｘの主走査方向に往復移動させるものがある。記録ヘッドが主走査方向に移動しつつインクを吐出する動作と、記録媒体を主走査方向と交差する副走査方向に搬送する動作と、を繰り返すことによって、記録媒体上に順次画像を記録する。インクタンク一体型記録ヘッド５１とフレキシブルケーブル５５との電気的接続に関しては、フレキシブルケーブル５５に多数の突出部を設け、それを接点部５５ｂ（図１１参照）として信号伝達を行う。
【０００５】
図１０は、キャリッジ５２の拡大図である。キャリッジ５２から垂直に設けられたコンタクト部５２ａによって、インクタンク一体型の記録ヘッド５１と、フレキシブルケーブル５５の接点部５５ｂと、の接続が行われる。
【０００６】
図１１は、コンタクト部５２ａの分解斜視図である。キャリッジ５２のコンタクト部５２ａには、ゴムパッド５６を介して、フレキシブルケーブル５５の接点部５５ｂが固定される。ゴムパッド５６は、その穴５６ａ１，５６ａ２，５６ａ３にコンタクト部５２ａの軸５２ｂ１，５２ｂ２，５２ｂ３が夫々嵌め込まれることにより、穴５６ａ１と軸５２ｂ１の位置を基準として位置決めされる。またフレキシブルケーブル５５は、その一端がキャリッジ５２の下部に設けられたフレキはい回し用穴５２ｃから取り出され、その穴５５ａ１，５５ａ２，５５ａ３，５５ａ４，５５ａ５にコンタクト部５２ａの軸５２ｂ１，５２ｂ２，５２ｂ３，５２ｂ４，５２ｂ５が夫々嵌め込まれることにより、穴５５ａ４と軸５２ｂ４の位置を基準として位置決めされる。そして、位置決めされたフレキシブルケーブル５５は、フレキ上押さえ５７とフレキ下押さえ５８がキャリッジ５２に嵌め込まれることにより、キャリッジ５２に固定される。
【０００７】
ゴムパッド５６に形成された多数の突起５６ｂは、図１２に示すように先端が円錐状に成形されており、この突起５６ｂに対応するフレキシブルケーブル５５の接点部５５ｂには、図１３に示すように凹部５５ｃが形成されている。図１３に示すように、突起５６ｂの先端が接点部５５ｂの凹部５５ｃに侵入して接触し、その突起５６ｂが弾性変形することによって生ずる圧力によって、凹部５５ｃを記録ヘッド５１の接点に押し付けて信号の伝達を行っている。
【０００８】
インクジェット記録装置は、インクの吐出エネルギー発生手段として、記録ヘッド内に装備した電気熱変換素子またはピエゾ素子等を用いて、それらの熱または機械的なエネルギーを利用して、記録ヘッドの吐出口からインクを吐出し、そのインクを記録媒体（記録紙，ＯＨＰシート等）に付与することによって画像を記録する。
【０００９】
記録ヘッドの種類は、大別すると、パーマネントヘッドとディスポーザブルヘッドの２種類がある。パーマネントヘッドは、記録ヘッドとインクタンクが別体となり、インクはインクタンクからチューブを通じて記録ヘッドに供給され、インクタンク内のインクが無くなると、そのインクタンクのみを交換する。一方、ディスポーザブルヘッドは、記録ヘッドとインクタンクが一体となったインクタンク一体型記録ヘッドであって、インクタンク内のインクが無くなると、記録ヘッドごと交換する。
【００１０】
ディスポーザブルヘッドの利点は、記録装置の小型化が容易であること、記録装置を安価に構成できることである。そのため、このディスポーザブルヘッドは、パーソナル記録装置の記録ヘッドとして多く利用されている。
【００１１】
インクジェット記録ヘッド（パーマネントヘッドおよびディスポーザブルヘッドの双方含み、以下単に「記録ヘッド」という）は、それ自身、インクを吐出するための電力を必要とするため、キャリッジへの取り付けにおいては、記録ヘッドとキャリッジとの電気的導通を確実にする必要がある。この電気的導通が不確実であると、記録ヘッドへのインク吐出信号に不具合が生じ、その結果、記録画像が乱れるおそれがある。さらに、記録画像の品位を向上させるためには、記録ヘッドを精度良くキャリッジに取り付けなければならない。
【００１２】
記録ヘッドは、キャリッジに対して次のように固定される。
【００１３】
記録ヘッド内には、記録ヘッドの位置決め部を有する位置決め板と、その位置決め板の側面に、キャリッジとの電気的導通を得るため数十点の接点を有する記録ヘッド配線部材と、が設けられている。一方、キャリッジには、キャリッジ位置決め部と、フレキシブルケーブルと、ゴムパッドと、記録ヘッド付勢手段を有している。キャリッジ位置決め部はキャリッジと記録ヘッドとの位置決めを行い、フレキシブルケーブルは、記録ヘッドに電気信号を与えるための数十点の接点を有する。ゴムパッドは、フレキシブルケーブルとキャリッジ本体との間に設けられて、記録ヘッド側の記録ヘッド配線部材の接点、およびフレキシブルケーブルの接点と同じ位置に、円柱若しくは円錐状の突起部を有する。記録ヘッド付勢手段は、キャリッジに記録ヘッドを固定するための手段である。
【００１４】
キャリッジに対する記録ヘッドの位置決めは、記録ヘッドの位置決め部とキャリッジの位置決め部とを突き当てて行い、その突き当て方向に、記録ヘッド付勢手段が記録ヘッドを付勢するによって、記録ヘッドが固定される。また、記録ヘッドとキャリッジとの電気的導通は、記録ヘッド内部に設けられた記録ヘッド配線部材の接点と、キャリッジ内に設けられたフレキシブルケーブルの接点と、を密着させることにより行われる。
【００１５】
記録ヘッド付勢手段によって記録ヘッドをキャリッジに固定する際には、先ず、記録ヘッド配線部材の接点とフレキシブルケーブルの接点とを軽く接触させる。その後、更に記録ヘッドをキャリッジの方向に付勢し、記録ヘッド配線部材の接点がフレキシブルケーブルの接点に圧接して、フレキシブルケーブルの接点の裏面側に設けられたゴムパッドの突起部が潰される。このようにして潰されたゴムパッドの突起部の復元力によって、記録ヘッド配線部材の接点とフレキシブルケーブルの接点との密着性を確保している。
【００１６】
【特許文献１】特開平０７−０３２５９０号公報
【発明の開示】
【発明が解決しようとする課題】
【００１７】
しかしながら、上記のようなフレキシブルケーブル５５と記録ヘッド５１との接触構成は、ゴムパッド５６の突起５６ｂの頂点と、フレキシブルケーブル５５の接点部５５ｂの凹部５５ｃの頂点は、夫々位置に関して公差を持っているため、図１４に示すように、それらの頂点同士が完全に一致する保障はなく、またゴムパッド５６の変形量が理論通りであるか否かを確認することも困難であった。さらに、例えば図１５に示すように、組立時に、ゴムパッド５６の突起５６の先端がフレキシブルケーブル５５の凹部５５ｂのいずれかの部分に引っ掛かって、突起５６ｂが座屈した状態で組み立てられた場合には、所定の接触圧が得られなくなるおそれがある。
【００１８】
このような不具合の対策としては、突起５６ｂおよび接点部５５ｂのそれぞれに寸法にばらつきが生じないように、それらの高さを精度良く均一化することが考えられる。しかし、その場合には、加工精度を高める必要があり、部品の高価化を招くことになる。
【００１９】
本発明の目的は、上記従来技術の課題を解決し、簡単かつ安価な構成によって、電気的な接続部分の安定した接触圧を保障することができる記録ヘッドおよび記録装置を提供することにある。
【課題を解決するための手段】
【００２０】
本発明の記録ヘッドは、記録装置の所定位置に着脱自在に装着され、前記記録装置の接続部に圧接することによって該接続部と電気的に接続可能な接点部を有する記録ヘッドにおいて、前記接点部が形成されるフレキシブル配線部材と、前記フレキシブル配線部材の裏面側を支持する支持面と、前記支持面に形成されて、前記接点部が前記記録装置の接続部に圧接したときに前記接点部の変位を許容する凹部と、を備えることを特徴とする。
【００２１】
本発明の記録装置は、所定位置に着脱自在に装着される記録ヘッドを用いて画像の記録が可能であり、かつ前記記録ヘッドの接続部に圧接することによって該接続部と電気的に接続可能な接点部を有する記録装置において、前記接点部が形成されるフレキシブル配線部材と、前記フレキシブル配線部材の裏面側を支持する支持面と、前記支持面に形成されて、前記接点部が前記記録ヘッドの接続部に圧接したときに前記接点部の変位を許容する凹部と、を備えることを特徴とする。
【発明の効果】
【００２２】
本発明は、フレキシブル配線部材に形成された接点部が接続部に圧接して、それらが電気的に接続されるときに、その接点部の変位を凹部によって許容することにより、それらの電気的な接続部分の接触圧を確保するための特別な弾性部材を用いることなく、簡単かつ安価な構成によって、電気的な接続部分の安定した接触圧を保障することができる。この結果、それらの電気的な接続部分を通して、信号を確実に伝達することができる記録ヘッドおよび記録装置を提供することができる。
【発明を実施するための最良の形態】
【００２３】
以下、図面を参照して、本発明に係るインクジェット記録装置およびインクジェット記録ヘッドの実施形態について説明する。
【００２４】
（第１の実施形態）
図１は、本発明によるインクジェット記録ヘッドの内部構成を示す模式図である。また図２は、図１に示したインクジェット記録ヘッドの説明図であり、図３は、そのインクジェット記録ヘッドを装着可能なインクジェット記録装置の分解斜視図、図４は、そのインクジェット記録装置におけるフレキシブルケーブルの固定部の分解斜視図である。
【００２５】
先ず、図３を参照して記録装置の概略構成について説明する。図３は、外カバーを開いた状態を示すものであり、記録装置は、シート搬送手段によって記録シート（記録媒体）Ｐを搬送し、記録手段４によって記録を行う。
【００２６】
シート搬送手段は、挿入口１から挿入された普通紙やプラスチックシート等の記録シートＰを、記録位置までＵターン搬送するように構成されている。すなわち、図示しないモータにより搬送ローラ２を回転させ、シート押さえ板３によって記録シートＰを搬送ローラ２に押し付けることによって、記録シートＰを記録位置までＵターン搬送する。
【００２７】
記録手段４は、シリアル記録方式の記録ヘッドであって、キャリッジ５に搭載されている。キャリッジ５はリートスクリュー６に噛合しており、このリードスクリュー６を図示しないモータによって正逆回転させることにより、キャリッジ５が矢印ａの主走査方向に往復移動される。キャリッジ５の往復移動に同期させて、画像信号に応じて記録ヘッド４を駆動することにより、記録ヘッド４からインクを吐出して記録シートＰに記録を行う。このように本例の記録装置は、インクを吐出可能なインクジェット記録ヘッド４を用いて画像を記録するインクジェット記録装置である。
【００２８】
インクジェット記録ヘッド４は、微細な液体吐出口（オリフィス）と、液路と、この液路の一部に設けられるエネルギー作用部と、その作用部に位置する液体に作用させるための液滴形成エネルギー（液体吐出エネルギー）を発生するエネルギー発生手段と、を備えている。エネルギー発生手段としては、例えば、ピエゾ素子等の電気機械変換体、電磁波を照射するレーザー等、または電気熱変換体などの種々の手段を用いることができる。レーザー等を用いる場合には、インクに電磁波を照射して発熱させ、その発熱作用によって液滴を吐出させることができ、また発熱抵抗体を有する発熱素子等の電気熱変換体を用いる場合には、液体を加熱して発泡させ、その発泡エネルギーを利用して液体を吐出させることができる。
【００２９】
特に、熱エネルギーによって液体を吐出させる方式の記録ヘッドは、記録用の液滴（インク）を吐出するための液体吐出口（オリフィス）を高密度に配列することができるため、高解像度の記録をすることが可能である。さらに、熱エネルギーの発生手段として電気熱変換体を用いた記録ヘッドは、コンパクト化も容易であり、かつ最近の半導体分野における技術の進歩と信頼性の向上が著しいＩＣ技術やマイクロ加工技術の長所を十二分に活用することができる。そのため、高密度実装化が容易であり、製造コストを下げることができて有利である。
【００３０】
記録ヘッド４には、それをキャリッジ５のコンタクト部５ａに装着するための装着部が形成されており、その装着部の周囲には、図示しないベースプレートおよびヘッド配線部材が形成されている。ベースプレートのインク吐出面（インク吐出口の形成面）側には、対応するキャリッジ５側の第１，第２位置決め部５ｇ，５ｈ（図４参照）との位置決めを行うために、図示しない第１，第２位置決め部が形成されている。また記録ヘッド４にはフレキシブルケーブル（フレキシブル配線部材）７が接続されており、このフレキシブルケーブル７を介して、図示しない制御部からの信号の伝達が行われる。フレキシブルケーブル７は、キャリッジ５の往復移動を阻害しないように、押さえ部材８によって装置本体の固定部材となるシャーシ９に固定されている。
【００３１】
インクジェット記録装置のインクタンク一体型記録ヘッド４とフレキシブルケーブル７との電気的接続は、多数の突出部（ケーブル接点）が設けられたフレキシブルケーブル７の接続部７ｂ（図４参照）を介して行なわれる。
【００３２】
キャリッジ５には、図４に示すように、記録ヘッド４を主走査方向に位置決めするための第１位置決め部５ｇと、記録ヘッド４を主走査方向と直交する方向に位置決めするための第２位置決め部５ｈと、コンタクト部５ａと、が設けられている。コンタクト部５ａは、フレキシブルケーブル７の接続部７ｂの装着が可能な凸部材であって、記録ヘッド４を主走査方向に位置決めするための第３位置決め部である軸５ｂ３が形成されている。フレキシブルケーブル７は、キャリッジ５に形成されたフレキはい回し用穴５ｃを通して、キャリッジ５の裏面側からコンタクト部５ａに導かれることによって、接続部７ｂが固定される。
【００３３】
次に、図４および図１、図２を参照して、キャリッジ５と記録ヘッド４に対するフレキシブルケーブル７のコンタクト構造および電気的接続について説明する。図１（ａ）は、フレキシブルケーブル７と記録ヘッドとの電気的接続部の非接続状態における模式図であり、同図（ｂ）は、その電気的接続部の接続状態における模式図である。図２（ａ）は記録ヘッド４の正面図、同図（ｂ）は、その要部の拡大図である。
【００３４】
図４において、キャリッジ５上には、コンタクト部５ａが記録ヘッド４の搭載面に対して垂直に設けられており、そのコンタクト部５ａによって記録ヘッド４との電気的接続が行われる。コンタクト部５ａには複数の凸部５ｄが形成され、フレキシブルケーブル７には、それらの凸部５ｄに対応する複数の凸状の接点７ｄが形成されている。それぞれの凸部５ｄは、対応する接点７ｄの裏面側の凹部７ｄ−１と嵌まり合う。
【００３５】
フレキシブルケーブル７の一端側の接続部７ｂは、キャリッジ５の下部に設けられたフレキはい回し用穴５ｃから上方に取り出され、そして、その接続部７ｂに形成されている穴７ａ１，７ａ２，７ａ３，７ａ４，７ａ５にコンタクト部５ａの軸５ｂ１，５ｂ２，５ｂ３，５ｂ４，５ｂ５を夫々嵌め込みことによって、穴７ａ４と軸５ｂ４の位置を基準として接点部７ｂが位置決めされる。このようにして位置決めされたフレキシブルケーブル７の接点部７ｂは、フレキ上押さえ１１とフレキ下押さえ１２がキャリッジ５に嵌め込まれることによって、キャリッジ５のコンタクト部５ａに固定される。
【００３６】
フレキシブルケーブル７の接点７ｄは、記録ヘッド４内のフレキシブル配線部材４ｂの接点４ｃと密着して電気信号を伝達するものである。フレキシブル配線部材４ｂは、その接点４ｃとフレキシブルケーブル７の接点７ｄとの密着性を確保するために、図１（ａ）に示すように、その接点４ｃの裏面側に凹部４ａが位置するように固定される。記録ヘッド４をキャリッジ５に装着したときには、図１（ｂ）に示すように、フレキシブルケーブ７側の接点７ｄを介して、キャリッジ５側の凸部５ｄがフレキシブル配線部材４ｂの接点４ｃを加圧する。その際、接点４ｃは凹部４ａの空間内に入り込むように凹状に変形して、接点４ｃと接点７ｂとの密着性が高まる。本例では、接点４ｃの周囲を囲むように記録ヘッド４にリブ４ｄを設けることによって、凹部４ａを形成している。リブ４ｄの高さは０．３〜１．０ｍｍ程度であり、凹部４ａの深さは０．３〜１．０ｍｍであることが好ましい。またリブ４ｄは、記録ヘッド４の外形を成型する際に、それと同時に形成されることが望ましい。本例のリブ４ｄは、接点４ｃの平面形状に対応するように平面四角枠状に形成されている。
【００３７】
このように本実施形態においては、フレキシブル配線部材４ｂの接点４ｃの裏面側にリブ４ｄを配置することによって、凹部４ａを形成する。記録ヘッド４をキャリッジ５に装着した時に、フレキシブル配線部材４ｂの接点４ｃが凹部４ａ内に弾性変形し、その復元力によって接点４ｃが接点７ｄに押し付けられる。その結果、それらの接点４ｃ、７ｄ間の信号の伝達を確実に保障することができ、さらに、それらの接触圧を得るための弾性部材を省略して、低コスト化を図ることができる。
【００３８】
（第２の実施形態）
次に、本発明の第２の実施形態について、図５（ａ）（ｂ）、図６（ａ）（ｂ）を参照して説明する。図５（ａ）は、フレキシブルケーブル７と記録ヘッドとの電気的接続部の非接続状態における模式図であり、同図（ｂ）は、その電気的接続部の接続状態における模式図である。図６（ａ）は記録ヘッド４の正面図、同図（ｂ）は、その要部の拡大図である。本実施形態は、記録ヘッド４の凹部４ａの形態が前述した実施形態と異なり、その他の構成は前述した実施形態と同様である。
【００３９】
本実施形態においては、図６（ａ）に示すように、記録ヘッド４内のフレキシブル配線部材４ｂの接点４ｃが高密度化された場合にも対応できる構成なっている。すなわち、図６（ｂ）に示すように、１つの接点４ｃに対して、その周囲の３個所に位置するように記録ヘッド４にピン４ｅを設けることにより、凹部４ａを形成している。接点４ｃは、その凹部４ａ内に入り込むように凹状に弾性変形する。接点４ｃがより高密度化された場合においても、１つの接点４ｃに対してピン４ｅが２つ以上配備されていれば接点４ｃを支持することができる。したがって、１つの接点４ｃに対するピン４ｅの配備数は３つのみに特定されず、２つ以上であればよく、接点４ｃの変位が可能な限り配備数を増やしてよい。
【００４０】
フレキシブル配線部材４ｂは、図５（ａ）に示すように、その接点４ｃの裏面側に凹部４ａが位置するように記録ヘッド４に固定される。記録ヘッド４をキャリッジ５に装着したときには、その接点４ｃが前述した実施形態と同様に変形する。すなわち、図５（ｂ）に示すように、フレキシブルケーブ７側の接点７ｄを介して、キャリッジ５側の凸部５ｄがフレキシブル配線部材４ｂの接点４ｃを加圧し、その接点４ｃが凹部４ａの空間内に入り込むように凹状に変形する。これにより、接点４ｃと接点７ｂとの密着性が高まる。本例では、接点４ｃの周囲を囲むように記録ヘッド４にピン４ｅを設けることによって、凹部４ａを形成している。ピン４ｅの高さは０．３〜１．０ｍｍ程度であり、凹部４ａの深さは０．３〜１．０ｍｍであることが好ましい。またピン４ｅは、記録ヘッド４の外形を成型する際に、それと同時に形成されることが望ましい。本例のピン４ｅは、平面円形の接点４ｃから等距離に位置する３箇所に形成されている。
【００４１】
このように本実施形態においては、高密度に配置されたフレキシブル配線部材４ｂの接点４ｃの裏面側に、ピン４ｅを点在させるように配置することによって、凹部４ａを形成する。記録ヘッド４をキャリッジ５に装着した時に、フレキシブル配線部材４ｂの接点４ｃが凹部４ａ内に弾性変形し、その復元力によって接点４ｃが接点７ｄに押し付けられる。その結果、それらの接点４ｃ、７ｄ間の信号の伝達を確実に保障することができ、さらに、それらの接触圧を得るための弾性部材を省略して、低コスト化を図ることができる。
【００４２】
（第３の実施形態）
次に、本発明の第３の実施形態について、図７（ａ）（ｂ）、図８を参照して説明する。図７（ａ）は、フレキシブルケーブル７と記録ヘッドとの電気的接続部の非接続状態における模式図であり、同図（ｂ）は、その電気的接続部の接続状態における模式図である。図８は、キャリッジ５のコンタクト部の斜視図である。前述した実施形態は、記録ヘッド４側に形成した凹部４ａに、フレキシブル配線部材４ｂの接点４ｃを弾性変形させる構成である。本実施形態は、これとは逆に、キャリッジ５側に形成した凹部５ｆに、フレキシブルケーブル７の接点７ｄを弾性変形させる構成となっている。その他の構成は、前述した実施形態と同様である。
【００４３】
キャリッジ５のコンタクト部５ａには凹部５ｆが形成されており、その凹部５ｆは、フレキシブルケーブル７の接点７ｄと対向することによって、その接点７ｄの変形を可能とする。本例の凹部５ｆは、図８のように、１つの接点７ｄの周囲を囲む位置に設けられたリブ５ｅによって形成されている。
【００４４】
フレキシブルケーブル７は、図７（ａ）（ｂ）に示すように、その接点７ｄの裏側に凹部５ｆが位置するようにキャリッジ５に固定される。一方、記録ヘッド４側のフレキシブル配線部材４ｂは、複数の接点４ｃが凸状に形成されており、記録ヘッド４には、それらの接点４ｃに対応する複数の凸部４ｆが形成されている。それぞれの凸部４ｆは、対応する接点４ｃの裏面側の凹部４ｃ−1と嵌まり合う。
【００４５】
フレキシブルケーブル７の接点７ｄは、記録ヘッド４内のフレキシブル配線部材４ｂの接点４ｃと密着して電気信号を伝達するものである。フレキシブルケーブル７は、その接点７ｄとフレキシブル配線部材４ｂの接点４ｃとの密着性を確保するために、図７（ａ）に示すように、その接点７ｄの裏面側に凹部５ｆが位置するように固定される。記録ヘッド４をキャリッジ５に装着したときには、図７（ｂ）に示すように、フレキシブル配線部材４ｂの接点４ｃを介して、記録ヘッド４側の凸部４ｆがフレキシブルケーブ７側の接点７ｄを加圧する。その際、接点７ｄは凹部４ｆの空間内に入り込むように凹状に変形して、接点７ｄと接点４ｃとの密着性が高まる。凹部４ｆを形成するリブ５ｅの高さは０．３〜１．０ｍｍ程度であり、凹部５ｆの深さは０．３〜１．０ｍｍであることが好ましい。またリブ５ｅは、キャリッジ５のコンタクト部５ａの外形を成型する際に、それと同時に形成されることが望ましい。本例のリブ５ｅは、接点７ｄの平面形状に対応するように平面四角枠状に形成されている。
【００４６】
このように本実施形態においては、フレキシブルケーブ７の接点７ｄの裏面側に凹部５ｆを配置する。これにより、記録ヘッド４をキャリッジ５に装着した時に、フレキシブルケーブ７の接点７ｄが凹部５ｆ内に弾性変形し、その復元力によって接点７ｄが接点４ｃに押し付けられる。その結果、それらの接点７ｄ、４ｃ間の信号の伝達を確実に保障することができ、さらに、それらの接触圧を得るための弾性部材を省略して、低コスト化を図ることができる。
【００４７】
（他の実施形態）
本発明は、インクジェット記録ヘッド以外の熱転写方式等の種々の記録ヘッド、および、そのような種々の記録ヘッドを用いる記録装置として、広く適用することができる。また、本発明の記録装置は、シリアルスキャン方式の記録装置のみに特定されず、定位置に備えた記録ヘッドと対向する位置に記録媒体を連続的に搬送しつつ、その記録媒体に画像を記録するフルライン方式の記録装置にも適用可能である。
【００４８】
また、フレキシブル配線部材の変形を伴う接点部の変位を許容するための凹部は、その接点部の変位を許容する大きさの空間を形成するものであればよく、その形成方法や形態は前述した実施形態のみに特定されない。
【図面の簡単な説明】
【００４９】
【図１】（ａ）は、本発明の第１の実施形態における電気的接続部の非接続状態の概念図、（ｂ）は、その電気的接続部の接続状態の概念図である。
【図２】（ａ）は、図１の電気的接続部を有する記録ヘッドの正面図、（ｂ）は、その電気的接続部の拡大図である。
【図３】本発明の第１の実施形態における記録装置の分解斜視図である。
【図４】図３の記録装置におけるキャリッジ部分の分解斜視図である。
【図５】（ａ）は、本発明の第２の実施形態における電気的接続部の非接続状態の概念図、（ｂ）は、その電気的接続部の接続状態の概念図である。
【図６】（ａ）は、図５の電気的接続部を有する記録ヘッドの正面図、（ｂ）は、その電気的接続部の拡大図である。
【図７】（ａ）は、本発明の第３の実施形態における電気的接続部の非接続状態の概念図、（ｂ）は、その電気的接続部の接続状態の概念図である。
【図８】図７の電気的接続部を有するキャリッジのコンタクト部の斜視図である。
【図９】従来の記録装置の要部の斜視図である。
【図１０】図９の記録装置のキャリッジ部分の斜視図である。
【図１１】図１０のキャリッジ部分の分解斜視図である。
【図１２】図１１におけるゴムパッドの拡大斜視図である。
【図１３】図１２のゴムパッドとフレキシブルケーブルとの接触部の拡大図である。
【図１４】図１３の接触部における位置ずれの説明図である。
【図１５】図１３の接触部における組立時のずれの説明図である。
【符号の説明】
【００５０】
Ｐ    記録シート（記録媒体）
４    記録ヘッド
４ａ    凹部
４ｂ    フレキシブル配線部材
４ｃ    接点
４ｄ    リブ
４ｅ    ピン
４ｆ    凸部
５    キャリッジ
５ａ    コンタクト部
５ｄ    凸部
５ｆ    凹部
５ｅ    リブ
７    フレキシブルケーブル（フレキシブル配線部材）
７ｂ    接続部
７ｄ    接点
【図１】
2007022039.tif 000003
【図２】
2007022039.tif 000004
【図３】
2007022039.tif 000005
【図４】
2007022039.tif 000006
【図５】
2007022039.tif 000007
【図６】
2007022039.tif 000008
【図７】
2007022039.tif 000009
【図８】
2007022039.tif 000010
【図９】
2007022039.tif 000011
【図１０】
2007022039.tif 000012
【図１１】
2007022039.tif 000013
【図１２】
2007022039.tif 000014
【図１３】
2007022039.tif 000015
【図１４】
2007022039.tif 000016
【図１５】
2007022039.tif 000017